(57)【要約】【課題】スピーカーボックスの内部空間を有効利用して十分な長さのバックロードホーンが形成された小型でコンパクトなバックロードホーン型スピーカーを提案すること。【解決手段】バックロードホーン型スピーカー１では、スピーカーボックス２内を幅方向に複数の区画室２３〜２５に仕切り、各区画室２３〜２５に、上下あるいは前後方向に延びるバックロードホーン２０の上流側スロート部２６、中間スロート部２６、下流側スロート部２７を形成し、これらを連通口２９ａ、２９ｂを介して幅方向に連通させて１本のバックロードホーン２０を構成している。前後、上下方向に延びるスロート部を幅方向に連通して１本のバックロードホーンを構成しているので、十分に長いバックロードホーンを限られたスピーカーボックス内部に構成でき、スピーカーボックスの大型化を招くことなく、低音域の音響効果を向上できる。【選択図】図２
0003165148.tif 000002
【実用新案登録請求の範囲】
【請求項１】
縦長の矩形筒状のスピーカーボックス（２）と、
スピーカーボックス（２）の前板（５）の中央上側部分に配置した前方に広がる中央放射口（１１）と、
中央放射口（１１）の中央に配置されているスピーカーユニット（１２）と、
スピーカーボックス（２）の前板（５）の両側において前方に開口している左右の放射口（１３、１４）と、
スピーカーユニット（１２）から後方に放出された音を左右の放射口（１３、１４）に導くために、スピーカーボックス（２）の内部において左右対称な状態に形成されている一対のバックロードホーン（２０、３０）とを有し、
スピーカーボックス（２）の内部空間は、当該スピーカーボックス（２）の前板（５）と背板（８）の間に架け渡した一対の第１垂直仕切り板（２１）、および、第１垂直仕切り板（２１）とスピーカーボックス（２）の左右の側板（６、７）との間において前板（５）と背板（８）の間に架け渡した一対の第２垂直仕切り板（２２）によって、幅方向の中央に形成された第１区画室（２３）と、この両側において左右対称な状態に形成された一対の第２区画室（２４）と、これらの両側において左右対称な状態に形成された一対の第３区画室（２５）に仕切られており、
第１区画室（２３）には、各バックロードホーン（２０、３０）の上流側の部分を構成する共通の上流側スロート部（２６）が形成されており、
第２区画室（２４）のそれぞれには、バックロードホーン（２０、３０）のそれぞれの上流側スロート部（２６）の下流端（２６ｈ）に連通している中間スロート部（２７）が形成されており、
第３区画室（２５）のそれぞれには、バックロードホーン（２０、３０）のそれぞれの中間スロート部（２７）の下流端（２７ｂ）に連通している下流側スロート部（２８）が形成されており、
下流側スロート部（２８）の下流端（２８ｂ）のそれぞれは対応する放射口（１３、１４）のそれぞれに連通していることを特徴とするバックロードホーン型スピーカー（１）。
【請求項２】
請求項１において、
上流側スロート部（２６）は、第１区画室（２３）内において、スピーカーユニット（１２）の後端（１２ｂ）に対峙する上流端（２６ａ）から、上下および前後に蛇行しながら第１区画室（２３）の底部前端側の部位に位置する下流端（２６ｈ）に向かって延びており、
中間スロート部（２７）は、第２区画室（２４）内において、第１垂直仕切り板（２１）の前端の下端部分に形成した第１連通口（２９ａ）を介して上流側スロート部（２６）の下流端（２６ｈ）に連通している上流端（２７ａ）を備え、ここから背板（８）に面する下流端（２７ｂ）に向かって斜め上方に延びており、
下流側スロート部（２８）は、第３区画室（２５）内において、第２垂直仕切り板（２２）の後端に形成した第２連通口（２９ｂ）を介して中間スロート部（２７）の下流端（２７ｂ）に連通している上流端（２８ａ）を備え、ここから前方に向かって放射口（１３、１４）まで水平に延びていることを特徴とするバックロードホーン型スピーカー（１）。
【考案の詳細な説明】
【技術分野】
【０００１】
本考案は、スピーカーボックスの内部にエクスポネンシャル曲線にしたがって形成された十分に長いバックロードホーンが形成されているバックロードホーン型スピーカーに関する。
【背景技術】
【０００２】
低音域の音響特性を改善するためにスピーカーボックス内部にエクスポネンシャル曲線に従って形成されたバックロードホーンを備えたスピーカーが知られている。特許文献１においては、バックロードホーンが形成されたスピーカーボックスを簡単に組み立てることができるように、屈曲した音道を切り抜いた一定厚さの中間板を複数枚積層して、両側から側板によって挟むことにより、ボックス内において前後、上下方向に屈曲したバックロードホーンを構成することが提案されている。特許文献２においては、スピーカーのキャビネット内において、その幅方向に沿って上下方向に屈曲するバックロードホーンを備えた構成が開示されている。
【先行技術文献】
【特許文献】
【０００３】
【特許文献１】特開２００３−２０４５８６号公報
【特許文献２】特開２００８−２７８２２９号公報
【考案の概要】
【考案が解決しようとする課題】
【０００４】
バックロードホーン型スピーカーにおいては、エクスポネンシャル曲線にしたがって十分に長いバックロードホーンをスピーカーボックス内に形成することが望ましい。しかしながら、十分な長さのバックロードホーンをスピーカーボックス内に形成しようとすると、ボックス寸法が大きくなってしまい、スピーカーの小型・コンパクト化には不利である。
【０００５】
本考案の課題は、この点に鑑みて、十分な長さのバックロードホーンが内部に形成された小型でコンパクトなバックロードホーン型スピーカーを提案することにある。
【課題を解決するための手段】
【０００６】
上記の課題を解決するために、本考案のバックロードホーン型スピーカー（１）は、
縦長の矩形筒状のスピーカーボックス（２）と、
スピーカーボックス（２）の前板（５）の中央上側部分に配置した前方に広がる中央放射口（１１）と、
中央放射口（１１）の中央に配置されているスピーカーユニット（１２）と、
スピーカーボックス（２）の前板（５）の両側において前方に開口している左右の放射口（１３、１４）と、
スピーカーユニット（１２）から後方に放出された音を左右の放射口（１３、１４）に導くために、スピーカーボックス（２）の内部において左右対称な状態に形成されている一対のバックロードホーン（２０、３０）とを有し、
スピーカーボックス（２）の内部空間は、当該スピーカーボックス（２）の前板（５）と背板（８）の間に架け渡した一対の第１垂直仕切り板（２１）、および、第１垂直仕切り板（２１）とスピーカーボックス（２）の左右の側板（６、７）との間において前板（５）と背板（８）の間に架け渡した一対の第２垂直仕切り板（２２）によって、幅方向の中央に形成された第１区画室（２３）と、この両側において左右対称な状態に形成された一対の第２区画室（２４）と、これらの両側において左右対称な状態に形成された一対の第３区画室（２５）に仕切られており、
第１区画室（２３）には、各バックロードホーン（２０、３０）の上流側の部分を構成する共通の上流側スロート部（２６）が形成されており、
第２区画室（２４）のそれぞれには、バックロードホーン（２０、３０）のそれぞれの上流側スロート部（２６）の下流端（２６ｈ）に連通している中間スロート部（２７）が形成されており、
第３区画室（２５）のそれぞれには、バックロードホーン（２０、３０）のそれぞれの中間スロート部（２７）の下流端（２７ｂ）に連通している下流側スロート部（２８）が形成されており、
下流側スロート部（２８）の下流端（２８ｂ）のそれぞれは対応する放射口（１３、１４）のそれぞれに連通していることを特徴としている。
【０００７】
ここで、上流側スロート部（２６）は、第１区画室（２３）内において、スピーカーユニット（１２）の後端（１２ｂ）に対峙する上流端（２６ａ）から、上下および前後に蛇行しながら第１区画室（２３）の底部前端側の部位に位置する下流端（２６ｈ）に向かって延びるように形成することができる。この場合には、中間スロート部（２７）は、第２区画室（２４）内において、第１垂直仕切り板（２１）の前端の下端部分に形成した第１連通口（２９ａ）を介して上流側スロート部（２６）の下流端（２６ｈ）に連通している上流端（２７ａ）を備え、ここから背板（８）に面する下流端（２７ｂ）に向かって斜め上方に延びるように形成すればよい。また、下流側スロート部（２８）は、第３区画室（２５）内において、第２垂直仕切り板（２２）の後端に形成した第２連通口（２９ｂ）を介して中間スロート部（２７）の下流端（２７ｂ）に連通している上流端（２８ａ）を備え、ここから前方に向かって放射口（１３、１４）まで水平に延びるように形成すればよい。
【考案の効果】
【０００８】
本考案のバックロードホーン型スピーカーでは、スピーカーボックス内を幅方向に複数の区画室に仕切り、各区画室に、上下あるいは前後方向に延びるスロート部を形成し、これらのスロート部を相互に連通させてバックロードホーンを構成している。スピーカーボックス内において、単に、前後方向に延びるバックロードホーンを形成する場合や、幅方向に延びるバックロードホーンを形成する場合とは異なり、本考案では、前後方向に延びる複数のスロート部を幅方向に繋ぐことにより１本のバックロードホーンを構成しているので、十分に長い寸法のバックロードホーンを限られたスピーカーボックス内部に形成することができる。よって、スピーカーボックスの大型化を招くことなく、低音域の音響効果を向上させることができる。
【図面の簡単な説明】
【０００９】
【図１】本考案を適用したバックロードホーン型スピーカーを示す平面図、正面図、底面図、右側面図および背面図である。
【図２】（ａ）は図１のバックロードホーン型スピーカーの正面図であり、（ｂ）はその横断面図であり、（ｃ１）〜（ｅ１）はその左側のバックロードホーンを示すために各縦断面を平面上に展開した状態で示す説明図であり、（ｃ２）〜（ｅ２）はその右側のバックロードホーンを示すために各縦断面を平面上に展開した状態で示す説明図であり、（ｆ）はバックロードホーンのエクスポネンシャル曲線を示す説明図である。
【図３】図１のバックロードホーン型スピーカーの第１垂直仕切り板の内側表面および上流側スロート部を示す平面図である。
【図４】図１のバックロードホーン型スピーカーの第１垂直仕切り板の外側表面および中間スロート部を示す平面図である。
【図５】図１のバックロードホーン型スピーカーの第２垂直仕切り板の外側表面および下流側スロート部を示す平面図である。
【考案を実施するための形態】
【００１０】
以下に、図面を参照して本考案を適用したバックロードホーン型スピーカーの実施の形態を説明する。
【００１１】
図１を参照して本実施の形態に係るバックロードホーン型スピーカーの全体構成を説明する。バックロードホーン型スピーカー１は縦長の矩形筒状のスピーカーボックス２を備えており、このスピーカーボックス２は、天板３、底板４、前板５、左右の側板６、７および背板８から構成されており、底板４の裏面には矩形のベース枠９が取り付けられている。前板５の上側部分には中央放射口１１が形成されており、この奥にスピーカーユニット１２が前向きに取り付けられている。前板５は左右の側板６、７の間隔よりも狭く、左右の側板６、７の前端縁は前板５よりも後側に位置しており、これらの間に、前方および側方に開口した左右の放射口１３、１４が形成されている。これらの左右の放射口１３、１４には、上下方向に等間隔に３枚の水平連結板１５が取り付けられている。
【００１２】
次に、図２を参照してスピーカーボックス２の内部構造を説明する。スピーカーボックス２の内部には、スピーカーユニット１２の後端から後方に放出された音を、スピーカーボックス２の前面の左右に開口している左右の放射口１３、１４に導くための左右対称な一対のバックロードホーン２０、３０が形成されている。これらのバックロードホーン２０、３０はスピーカーボックス２の内部空間を仕切ることにより形成されている。以下の説明においては、左右のバックロードホーン２０、３０は左右対称な形状であるので、対応する部位については同一の符号を用いて説明する。
【００１３】
すなわち、スピーカーボックス２の内部には、スピーカーボックス２の前板５と背板８の間に、左右対称な形状をした一対の第１垂直仕切り板２１が平行に架け渡されている。また、これら左右の第１垂直仕切り板２１と、左右の側板６、７との間にも、前板５の側縁と背板８の間に、左右対称な形状をした一対の第２垂直仕切り板２２が平行に架け渡されている。これによって、スピーカーボックス２の内部は、幅方向の中央に位置する一定幅の第１区画室２３と、この両側に位置する同一幅の左右の第２区画室２４と、これらの両側に位置する同一幅の左右の第３区画室２５に仕切られている。
【００１４】
中央の第１区画室２３には、各バックロードホーン２０、３０の上流側の部分を構成する共通の上流側スロート部２６が形成されている。第２区画室２４のそれぞれには、バックロードホーン２０、３０のそれぞれの上流側スロート部２６の下流端に連通している中間スロート部２７が形成されている。また、第３区画室２５のそれぞれには、バックロードホーン２０、３０のそれぞれの中間スロート部２７の下流端に連通している下流側スロート部２８が形成されている。下流側スロート部２８のそれぞれの下流端は、対応する左右の放射口１３、１４のそれぞれを介して前方および側方に開口している。
【００１５】
図３は左側の第１垂直仕切り板２１の内側表面と、第１区画室２３の上流側スロート部２６を示す説明図である。図２および図３を参照して説明すると、第１区画室２３には、左右の第１垂直仕切り板２１の間に、前垂直仕切り板３１、後垂直仕切り板３２、上側傾斜板３３、中間傾斜板３４、下側傾斜板３５が架け渡されている。これらの板３１〜３５によって、上流側スロート部２６が形成されている。
【００１６】
すなわち、上流側スロート部２６は、第１区画室２３内において、スピーカーユニット１２の後端１２ｂに対峙する上流端２６ａから前垂直仕切り板３１の前側表面に沿って下方に延びる下向き通路部分２６ｂと、この下端から垂直仕切り板３１、３２の間を上方に折れ曲がって延びる上向き通路部分２６ｃと、この上端から後垂直仕切り板３２と背板８の間を下方に延びる下向き通路部分２６ｄと、この下端から上側傾斜板３３と中間傾斜板３４の間を前方に向かって僅かに上向きに延びる前向き通路部分２６ｅと、この前端から、中間傾斜板３４と下側傾斜板３５の間を後側に折れ曲がって後方に向けて下方に傾斜した方向に延びる後向き通路部分２６ｆと、この後端から下側傾斜板３５と底板４の間を通って前方に向かう前向き通路部分２６ｇとを備えている。
【００１７】
このように、上流側スロート部２６は第１区画室２３内において、上下および前後に蛇行した通路から形成されている。また、各通路部分の折り曲げ位置には、それらの部位の外側の折れ曲がり角度が鈍角となるようにガイド板３６ａ〜３６ｈが取り付けられている。また、上流側スロート部２６の前向き通路部分２６ｇの下流端２６ｈが位置する第１垂直仕切り板２１の前端下側部分には、矩形の切欠きが形成されており、ここが、上流側スロート部２６の下流端と中間スロート部２７の上流端との間を幅方向に連通している第１連通口２９ａとなっている。なお、上流側スロート部２６の各部分の幅寸法は同一であるが、その上下方向の高さ寸法は、上流端から下流端に向かって漸増しており、図２（ｆ）に示すエクスポネンシャル曲線に沿った断面積が漸増している。
【００１８】
図４は第１垂直仕切り板２１の外側表面と、第２区画室２４の中間スロート部２７を示す説明図である。図２および図４を参照して説明すると、第２区画室２４には、第１垂直仕切り板２１と第２垂直仕切り板２２の間に、上傾斜板４１および下傾斜板４２が架け渡されている。これらの傾斜板４１、４２は第１垂直仕切り板２１の前端の下端側部分に形成した第１連通口２９ａの上下の端から、後方に向けて斜め上方に向かって背板８まで延びている。これらの傾斜板４１、４２の間に中間スロート部２７が形成されている。中間スロート部２７の幅寸法は同一であるが、その上流端２７ａから下流端２７ｂに向かって上下方向の高さ寸法が漸増しており、図２（ｆ）に示すエクスポネンシャル曲線に沿って断面積が漸増している。
【００１９】
図５は第２垂直仕切り板２２の外側表面と、第３区画室２５の下流側スロート部２８を示す説明図である。第２垂直仕切り板２２における後端縁には、中間スロート部２７を規定している上下の傾斜板４１、４２の後端が位置する部分の間が一定幅で切り欠かれており、ここが、中間スロート部２７の下流端部２７ｂと、下流側スロート部２８の上流端部２８ａを幅方向に連通している第２連通口２９ｂとなっている。
【００２０】
第２垂直仕切り板２２と左右の側板６、７との間には、上下対称の状態で、第２連通口２９ｂの上下の端から前方に向かって上下方向に僅かに湾曲して延びている上仕切り板５１と下仕切り板５２が架け渡されている。これらの上仕切り板５１と下仕切り板５２の前端は、左右の放射口１３、１４の上端縁部分に繋がっている。これらの間に、後端の上流端２８ａが第２連通口２０ｂに連通し、前端の下流端２８ｂが放射口１３、１４に連通している下流側スロート部２８が形成されている。この下流側スロート部２８においても、各部の幅寸法は同一であるが、その上流端２８ａから下流端２８ｂに向かって上下方向の高さ寸法が漸増しており、図２（ｆ）に示すエクスポネンシャル曲線に沿って断面積が漸増している。
【００２１】
このように、本例の左右のバックロードホーン２０、３０は、スピーカーボックス２の内部において、その幅方向に仕切った複数の区画室２３、２４、２５内に、前方向あるいは後方向に向かうスロート部が形成され、各区画室２３〜２５に形成したスロート部２６〜２８が幅方向の中央側から外側に向かって順次に接続されて１本のバックロードホーンが構成されている。したがって、スピーカーボックス２の内部空間において、単に、前後方向あるいは幅方向に延びているバックロードホーンに比べて、スピーカーボックス２の内部空間を有効利用して十分な長さのバックロードホーン２０、３０を得ることができる。
【符号の説明】
【００２２】
１    バックロードホーン型スピーカー
２    スピーカーボックス
３    天板
４    底板
５    前板
６、７  側板
８    背板
９    ベース枠
１１  中央放射口
１２  スピーカーユニット
１３、１４  放射口
１５  水平連結板
２０、３０  バックロードホーン
２１  第１垂直仕切り板
２２  第２垂直仕切り板
２３  第１区画室
２４  第２区画室
２５  第３区画室
２６  上流側スロート部
２６ａ  上流端
２６ｂ  下向き通路部分
２６ｃ  上向き通路部分
２６ｄ  下向き通路部分
２６ｅ  前向き通路部分
２６ｆ  後向き通路部分
２６ｇ  前向き通路部分
２６ｈ  下流端
２７  中間スロート部
２７ａ  上流端
２７ｂ  下流端
２８  下流側スロート部
２８ａ  上流端
２８ｂ  下流端
２９ａ  第１連通口
２９ｂ  第２連通口
３１  前垂直仕切り板
３２  後垂直仕切り板
３３  上側傾斜板
３４  中間傾斜板
３５  下側傾斜板
３６ａ〜３６ｈ  ガイド板
【図１】
0003165148.tif 000003
【図２】
0003165148.tif 000004
【図３】
0003165148.tif 000005
【図４】
0003165148.tif 000006
【図５】
0003165148.tif 000007